(57)【要約】【課題】  詳細なピント状態確認の手間を削減する撮像装置を提供する。【解決手段】  撮像装置は、取り付けられたレンズを介して投影された被写体の光学像を撮像する撮像素子を有する撮像部を備える。撮像により得られた画像をプレビュー表示する表示素子を有する表示部６０を備える。光学像における第１、第２特定位置Ｐ１、Ｐ２と、第１、第２特定位置Ｐ１、Ｐ２を中心とする第１、第２特定範囲Ｒ１、Ｒ２と、複数のレンズと撮像素子の位置関係を設定するのに使用される入力手段を備える。複数の位置関係が成立するように、レンズ、撮像素子の少なくとも一方を移動させる移動手段を備える。移動手段により、複数の位置関係それぞれが成立した時に撮像により得られる画像について、第１、第２特定範囲Ｒ１、Ｒ２に対応する領域を、プレビュー表示する場合よりも拡大して表示部６０に表示する制御部を備える。【選択図】        図２
2006148393.tif 000002
【特許請求の範囲】
【請求項１】
取り付けられたレンズを介して投影された被写体の光学像を撮像する撮像素子を有する撮像部と、
撮像により得られた画像をプレビュー表示する表示素子を有する表示部と、
前記光学像における特定位置と、前記特定位置を中心とする特定範囲と、複数の前記レンズと前記撮像素子の位置関係を設定するのに使用される入力手段と、
前記複数の位置関係が成立するように、前記レンズ、前記撮像素子の少なくとも一方を移動させる移動手段と、
前記移動手段により、前記複数の位置関係それぞれが成立した時に撮像により得られる画像について、前記特定範囲に対応する領域を、前記プレビュー表示する場合よりも拡大して前記表示部に表示する制御部とを備えることを特徴とする撮像装置。
【請求項２】
前記撮像素子の画素数は、前記表示素子の画素数よりも多いことを特徴とする請求項１に記載の撮像装置。
【請求項３】
前記撮像素子の前記特定範囲に対応する領域の画素数と、前記表示素子の前記特定範囲に対応する領域の画素数は等しいことを特徴とする請求項２に記載の撮像装置。
【請求項４】
前記制御部は、前記移動手段を制御し、
前記移動手段は、前記複数の位置関係が成立するように、前記レンズ、前記撮像素子の少なくとも一方を移動させるアクチュエータを有することを特徴とする請求項１に記載の撮像装置。
【請求項５】
前記移動手段は、前記レンズ、前記撮像素子の位置関係を特定する検出手段を有し、
前記表示部は、前記撮像により得られた画像について、前記特定範囲に対応する領域の画像を表示する場合に、前記検出手段により特定された位置関係を表示することを特徴とする請求項１に記載の撮像装置。
【請求項６】
前記制御部は、前記撮像により得られた画像の前記特定範囲に対応する領域のコントラスト値を検出し、
前記表示部は、前記撮像により得られた画像の前記特定範囲に対応する領域を表示する場合に、前記コントラスト値を表示することを特徴とする請求項１に記載の撮像装置。
【請求項７】
前記入力手段は、前記表示部により表示された複数の前記特定範囲に対応する領域の画像の中から、適当な前記レンズと前記撮像素子の位置関係である時に撮像されて得られた画像を選択するのに使用されることを特徴とする請求項１に記載の撮像装置。
【請求項８】
前記撮像により得られた画像の前記特定範囲に対応する領域の画像を得る際、前記撮像素子は、前記特定範囲に対応する画素で蓄積された電荷だけを掃き出すことを特徴とする請求項１に記載の撮像装置。
【請求項９】
前記撮像素子は、ＣＭＯＳであることを特徴とする請求項８に記載の撮像装置。
【請求項１０】
前記レンズと、前記撮像素子の位置関係は、前記特定範囲に対応する領域のピント状態を確認するために設定されることを特徴とする請求項１に記載の撮像装置。
【発明の詳細な説明】
【技術分野】
【０００１】
本発明は、撮像装置に関し、特にピント状態を詳細に確認する装置に関する。
【背景技術】
【０００２】
撮像素子を有するデジタルカメラが提案されている。撮像素子の画素数に比べ、デジタルカメラが有する表示部の表示素子の画素数が少ない場合が多い。この場合、撮像により得られた画像の全体を表示部に表示するためには、画像データを間引きし、リサイズしなければならない。リサイズされた画像を見て厳密なピント状態の確認を行うのは困難である。
【０００３】
特許文献１は、ピント状態確認のために、間引き数の少ない画像を表示する装置を開示する。
【特許文献１】特開平１１−３４１３１５号公報
【発明の開示】
【発明が解決しようとする課題】
【０００４】
しかし、特許文献１にかかる装置では、使用者が、表示された間引き数の少ない画像を確認してピント状態について満足できない場合、再度、レンズ位置を変化させて同じ動作を繰り返し行う必要がある。
【０００５】
したがって本発明の目的は、詳細なピント状態確認の手間を削減する撮像装置を提供することである。
【課題を解決するための手段】
【０００６】
本発明に係る撮像装置は、取り付けられたレンズを介して投影された被写体の光学像を撮像する撮像素子を有する撮像部と、撮像により得られた画像をプレビュー表示する表示素子を有する表示部と、光学像における特定位置と、特定位置を中心とする特定範囲と、複数のレンズと撮像素子の位置関係を設定するのに使用される入力手段と、複数の位置関係が成立するように、レンズ、撮像素子の少なくとも一方を移動させる移動手段と、移動手段により、複数の位置関係それぞれが成立した時に撮像により得られる画像について、特定範囲に対応する領域を、プレビュー表示する場合よりも拡大して表示部に表示する制御部とを備える。
【０００７】
好ましくは、撮像素子の画素数は、表示素子の画素数よりも多い。
【０００８】
さらに好ましくは、撮像素子の特定範囲に対応する領域の画素数と、表示素子の特定範囲に対応する領域の画素数は等しい。
【０００９】
また、好ましくは、制御部は、移動手段を制御し、移動手段は、複数の位置関係が成立するように、レンズ、撮像素子の少なくとも一方を移動させるアクチュエータを有する。
【００１０】
また、好ましくは、移動手段は、レンズ、撮像素子の位置関係を特定する検出手段を有し、表示部は、撮像により得られた画像について、特定範囲に対応する領域の画像を表示する場合に、検出手段により特定された位置関係を表示する。
【００１１】
また、好ましくは、制御部は、撮像により得られた画像の特定範囲に対応する領域のコントラスト値を検出し、表示部は、撮像により得られた画像の特定範囲に対応する領域を表示する場合に、コントラスト値を表示する。
【００１２】
また、好ましくは、入力手段は、表示部により表示された複数の特定範囲に対応する領域の画像の中から、適当なレンズと撮像素子の位置関係である時に撮像されて得られた画像を選択するのに使用される。
【００１３】
また、好ましくは、撮像により得られた画像の特定範囲に対応する領域の画像を得る際、撮像素子は、特定範囲に対応する画素で蓄積された電荷だけを掃き出す。
【００１４】
さらに好ましくは、撮像素子は、ＣＭＯＳである。
【００１５】
また、好ましくは、レンズと、撮像素子の位置関係は、特定範囲に対応する領域のピント状態を確認するために設定される。
【発明の効果】
【００１６】
以上のように本発明によれば、詳細なピント状態確認の手間を削減する撮像装置を提供することができる。
【発明を実施するための最良の形態】
【００１７】
以下、本実施形態について、図を用いて説明する。撮像装置１はアオリ撮影カメラ１０、制御部５０、表示部６０、及び入力部７０を備える（図１参照）。なお、方向を説明するために、撮像装置１において傾斜アオリを行わない状態（交換レンズ１１の光軸ＬＸが撮像素子３１の撮像面に対して垂直に交わるニュートラル状態）での光軸ＬＸと直交する水平方向を第１方向ｘ、光軸ＬＸと直交する鉛直方向を第２方向ｙ、光軸ＬＸと平行な水平方向を第３方向ｚとして説明する。
【００１８】
本実施形態では、レンズ曲面の曲率中心を結ぶ線を光軸ＬＸと定義する。
【００１９】
アオリ撮影カメラ１０は、平行アオリ（ライズ・フォール、及びシフトアオリ）、及び傾斜アオリ（スィング、及びティルトアオリ）が可能なデジタルカメラである。アオリ撮影カメラ１０は、交換レンズ１１、フロント部２０、リヤ部３０、フロント部移動手段４０、及びレンズ情報読取部４１を有する。
【００２０】
フロント部２０のレンズマウント部２１には、交換レンズ１１が取り付けられる。撮影目的に合わせて焦点距離が異なる交換レンズ１１が用意される。
【００２１】
フロント部２０は、第１方向ｘに移動可能であり、これによりシフトアオリが可能になる。フロント部２０は、第２方向ｙに移動可能でありこれによりライズ・フォールアオリが可能になる。フロント部２０は、第１方向ｘに平行な軸を中心としてティルトアオリが可能であり、第２方向ｙに平行な軸を中心としてスィングアオリが可能である。
【００２２】
フロント部２０は、ＡＦモータ２５、レンズ移動量情報読取部２６を有する。ＡＦモータ２５は、交換レンズ１１のフォーカシングレンズＦＬを駆動する。レンズ移動量情報読取部２６は、エンコーダ１１ｂからの情報に基づいてフォーカシングレンズＦＬの移動量ｍｆを検出する。
【００２３】
交換レンズ１１は、撮影光学系の光学特性に関するレンズ固有データが格納されたＲＯＭ１１ａ、エンコーダ１１ｂを有する。
【００２４】
交換レンズ１１のフォーカシングレンズＦＬは、ＡＦモータ２５により、光軸ＬＸ方向に移動される。これにより合焦動作が行われる。
【００２５】
交換レンズ１１がフロント部２０に装着された時には、交換レンズ１１に設けられた第１通信用接点ピン１１ｃ、及びフロント部２０のレンズマウント部２１に設けられた第２通信用接点ピン２１ｃを介してレンズ固有データが検出可能な構成となっている。レンズ固有データは、焦点距離、開放絞り値、最小絞り値、及びイメージサークルの径に関する情報である。
【００２６】
エンコーダ１１ｂは、フォーカシングレンズＦＬの光軸ＬＸ方向における位置情報を検出する。交換レンズ１１がフロント部２０に装着された時には、第１、第２通信用接点ピン１１ｃ、２１ｃを介して、無限遠の被写体に合焦するときのフォーカシングレンズＦＬ位置からの光軸ＬＸ方向の被写体側への繰り出し量に対応する繰り出し量データが検出可能な構成となっている。
【００２７】
リヤ部３０は、ＣＣＤまたはＣＭＯＳなどの撮像素子３１、撮像信号処理回路３２を有する。被写体像が交換レンズ１１を介して投影された光学像は、撮像素子３１の撮像面に結像される。撮像素子３１は、光学像を光電変換によって電気信号に変換する。撮像素子３１で一定時間蓄積された後、読み出しされた電荷に基づく電気信号は、撮像信号処理回路３２に出力される。撮像信号処理回路３２は、アオリ撮影カメラ１０で撮像されて得られた被写体の電気信号を、制御部５０で画像処理及び表示部６０で観察可能な画像信号に変換し、制御部５０に出力する。
【００２８】
フロント部移動手段４０は、フロント部２０の平行アオリ、傾斜アオリ、合焦動作によって移動したフォーカシングレンズＦＬの位置を検出し、フロント部２０の平行アオリ、傾斜アオリ、合焦動作によりフォーカシングレンズＦＬを所定のレンズ位置に移動させる。フロント部移動手段４０は、フォーカシングレンズＦＬの位置検出のための、第１、第２平行アオリ量検出部４０１ａ、４０２ａ、第１、第２傾斜アオリ量検出部４１１ａ、４１２ａ、及び第３方向移動量検出部４０３ａを有する。フロント部移動手段４０は、フォーカシングレンズＦＬを所定のレンズ位置に移動させるための、第１、第２平行アオリ駆動部４０１ｂ、４０２ｂ、第１、第２傾斜アオリ駆動部４１１ｂ、４１２ｂ、及び第３方向駆動部４０３ｂを有する。
【００２９】
第１平行アオリ量検出部４０１ａは、フロント部２０の第１方向ｘの移動量（シフトアオリ移動量ｍｓ）を検出し、制御部５０に出力する。第２平行アオリ量検出部４０２ａは、フロント部２０の第２方向ｙの移動量（ライズ・フォールアオリ移動量ｍｒ）を検出し、制御部５０に出力する。
【００３０】
第１傾斜アオリ量検出部４１１ａは、フロント部２０の第１方向ｘに平行な軸を中心とした回転量すなわちティルトアオリ角度ω１を検出し、制御部５０に出力する。第２傾斜アオリ量検出部４１２ａは、フロント部２０の第２方向ｙに平行な軸を中心とした回転量すなわちスィングアオリ角度ω２を検出し、制御部５０に出力する。
【００３１】
第３方向移動量検出部４０３ａは、主に合焦動作のためフロント部２０を第３方向ｚに移動させたときの第３方向移動量ｍｚを検出し、制御部５０に出力する。
【００３２】
第１平行アオリ駆動部４０１ｂは、シフトアオリのためにフロント部２０を第１方向ｘに移動させるアクチュエータを有する。第２平行アオリ駆動部４０２ｂは、ライズ・フォールアオリのためにフロント部２０を第２方向ｙに移動させるアクチュエータを有する。
【００３３】
第１傾斜アオリ駆動部４１１ｂは、ティルトアオリのためにフロント部２０を第一方向ｘに平行な軸を中心に回転させるアクチュエータを有する。第２平行アオリ駆動部４１２ｂは、スィングアオリのためにフロント部２０を第２方向ｙに平行な軸を中心に回転させるアクチュエータを有する。
【００３４】
第３方向駆動部４０３ｂは、主に合焦動作のためフロント部２０を第３方向ｚ移動させるアクチュエータを有する。合焦動作は、第３方向駆動部４０３ｂを駆動してフロント部２０を第３方向ｚに移動させることによって行われるだけでなく、ＡＦモータ２５を駆動してフォーカシングレンズＦＬを光軸方向に移動させることによっても行われる。また、合焦動作は、傾斜アオリ操作によっても行われる。
【００３５】
レンズ情報読取部４１は、交換レンズ１１のＲＯＭ１１ａからレンズ固有データを検出し、制御部５０に出力する。
【００３６】
制御部５０は、撮像に関する各部の制御を行う制御手段である。制御部５０は、フォーカシングレンズＦＬの移動量ｍｆ、フロント部２０のシフトアオリ移動量ｍｓ、フロント部２０のライズ・フォールアオリ移動量ｍｒ、フロント部２０のティルトアオリ角度ω１、フロント部２０のスィングアオリ角度ω２、及びフロント部２０の第３方向移動量ｍｚに基づいて、フォーカシングレンズＦＬの位置を特定する。
【００３７】
制御部５０は、ＡＦモータ２５を駆動してフォーカシングレンズＦＬを移動させ、第１、第２平行アオリ駆動部４０１ｂ、４０２、第１、第２傾斜アオリ駆動部４１１ｂ、４１２ｂ、及び第３方向駆動部４０３ｂを駆動してフロント部２０を移動させ、フォーカシングレンズＦＬを所定のレンズ位置に移動させる。レンズ位置は、入力部７０を介して使用者により複数箇所設定される。レンズ位置は、被写体を含む構図の中の特定位置Ｐの特定範囲Ｒを撮像した場合に得られる画像が使用者の想定するピント状態に近くなるような位置を想定して設定される。
【００３８】
制御部５０は、撮像により得られた画像の全体を表示部６０に表示する（プレビュー表示、図２参照）他、特定範囲Ｒに対応する撮像により得られた画像を表示部６０に表示（ピント確認表示、図３、図４参照）する。
【００３９】
特定位置Ｐ及び特定範囲Ｒは、入力部７０を介して使用者の任意に定められる。使用者の任意とは、使用者が想定する構図の中でピント状態を確認したい箇所を意味する。特定範囲Ｒは、特定位置Ｐを中心とした矩形形状の水平方向長さｈ、鉛直方向長さｖで特定される。また特定位置Ｐの場所は１つに限られない。特定範囲Ｒの大きさは、特定範囲Ｒ内に対応する撮像素子３１の画素数が、表示部６０の表示素子の画素数以下に設定されるのが望ましい。但し、特定位置Ｐは、特定範囲Ｒの中心に限らず、特定範囲Ｒに含まれている位置であってもよい。
【００４０】
本実施形態では、５つのレンズ位置（第１〜第５レンズ位置）が設定されるとして説明する。本実施形態では、２つの特定位置Ｐ（第１、第２特定位置Ｐ１、Ｐ２）が設定されるとして説明する。第１特定位置Ｐ１の第１特定範囲Ｒ１は、第１水平方向長さｈ１、第１鉛直方向長さｖ１を有する矩形形状であり、第２特定位置Ｐ２の第２特定範囲Ｒ２は、第２水平方向長さｈ２、第２鉛直方向長さｖ２を有する矩形形状である。
【００４１】
図２は、プレビュー表示において、第１特定位置Ｐ１を×印で、第１特定範囲Ｒ１を二点鎖線で示し、第２特定位置Ｐ２を○印で、第２特定範囲Ｒ２を点線で示す。図３は、ピント確認表示において、第１特定範囲Ｒ１における画像、レンズ位置に関する情報、及びコントラスト値を示す。図４は、ピント確認表示において、第２特定範囲Ｒ２における画像、レンズ位置に関する情報、及びコントラスト値を示す。図３、図４は、いずれもレンズ位置に関する情報として、５つのレンズ位置のうち第１レンズ位置にフォーカシングレンズＦＬが設定されたことを示す。
【００４２】
ピント確認表示においては、特定範囲Ｒ内に対応する撮像素子３１の画素の数に対して、特定範囲Ｒ内に対応する表示部６０の表示素子の画素の数が一致して表示されるのが望ましい。本実施形態ではこれを等倍表示と定義する。
【００４３】
本実施形態においては、制御部５０は、予め設定されている表示部６０の画素数とアスペクト比とに基づいて、表示部６０の画素数と同数となる特定範囲Ｒに対応する撮像素子３１上の画素の位置情報を把握している。
【００４４】
特定位置Ｐが複数設定された場合、特定位置Ｐの特定範囲Ｒの画像を表示する制御は、１つの表示画面の中に複数表示させてもよい。本実施形態では、第１特定範囲Ｒ１に対応する画像と、第２特定範囲Ｒ２に対応する画像は、別々の表示画面に表示される形態である。
【００４５】
制御部５０は、特定位置Ｐの特定範囲Ｒ内の画像のコントラスト値を検出する。
【００４６】
撮像装置１は、制御部５０から出力された画像信号を記録する外部記憶装置（不図示）を備えても良い。撮像装置１は、制御部５０などで、被写体を含む構図における特定位置Ｐ及び特定範囲Ｒの情報、及びフォーカシングレンズＦＬのレンズ位置の情報を一時記憶する。
【００４７】
表示部６０は、画像信号に対応する画像を表示する。表示部６０が有する表示素子の画素数は、撮像素子３１の画素数に比べて少ない。表示部６０としてパソコン用モニターを使用した場合、表示素子の画素数は１００万画素前後（ＳＸＧＡタイプで、１２８０×１０２４ピクセル、ＸＧＡタイプで、１０２４×７６８ピクセル）であるのに対して、本実施形態では、撮像素子３１の画素数は少なくとも２００万画素以上のものを対象とする。表示部６０は画像全体を表示するプレビュー表示（図２参照）の他、特定位置Ｐの特定範囲Ｒの画像を表示するピント確認表示（図３、図４参照）を行う。プレビュー表示の場合、表示部６０は、制御部５０によって画像の全体が表示されるようにデータ数を低減（間引き）された画像を表示する。ピント確認表示の場合、表示部６０は、画素間引きされない画像（等倍表示）または、プレビュー表示の場合よりも間引き数の少ない画像を表示する。
【００４８】
表示部６０は、フォーカシングレンズＦＬのレンズ位置を決定する為の支援情報として、撮影時の絞り値、焦点距離、及びレンズ固有データやフォーカシングレンズＦＬの位置から算出される撮影距離、被写界深度を表示する（不図示）。
【００４９】
表示部６０は、ピント確認表示の際、フォーカシングレンズＦＬの位置情報ｐｉを表示する。表示部６０は、フォーカシングレンズＦＬの移動量ｍｆ、シフトアオリ移動量ｍｓ、ライズ・フォールアオリ移動量ｍｒ、ティルトアオリ角度ω１、スィングアオリ角度ω２、第３方向移動量ｍｚ、及びコントラスト値を表示する（図３、図４参照）。
【００５０】
入力部７０は、キーボードやマウスなどの入力手段であり、使用者は、入力部７０を使って、フォーカシングレンズＦＬを移動させるレンズ位置や設定するレンズ位置の数を入力する。また使用者は、入力部７０を使って、撮像により得られた画像上の特定位置Ｐ、特定位置Ｐの特定範囲Ｒ、特定位置Ｐの数を設定する。また使用者は、入力部７０を使って、適当なピント状態の画像を選択するために、複数のレンズ位置で撮像された画像の中から適当なレンズ位置で撮像された画像を選択する。
【００５１】
フォーカシングレンズＦＬを複数のレンズ位置に移動させた時に、被写体を含む構図の中から、ピント状態を確認したい位置（特定位置Ｐ）及び範囲（特定範囲Ｒ）について、撮像される（仮撮影）。撮像により得られた画像が表示されると、使用者は、これらの画像を観察してピント状態を確認する。使用者は、入力部７０を使って、複数のピント状態の画像の中から、適当なピント状態の画像を選択する。制御部５０は、フォーカシングレンズＦＬを、選択した画像を得たときのレンズ位置に移動させて、被写体を含む構図の全体を撮影する（本撮影）。予め、特定範囲Ｒにおける画像のピント状態を確認出来ているので、使用者の想定したピント状態に近い状態で被写体を撮影することが可能になる。
【００５２】
特に、中判フィルムサイズに対応した比較的大きな撮像面積を持つデジタルカメラのように、数百万画素または数千万画素の撮像素子を使う場合、撮像により得られた画像の全体をデータ間引き無しに全体画像を表示させることが出来ない（等倍表示できない）。データ間引きした状態の全体画像を使ってピント状態を細かく確認するのは困難である。本実施形態では、ピントを確認したい特定範囲Ｒだけを表示部６０に表示することにより、データ間引きを行わない状態での画像を見て詳細にピント状態を確認することが可能になる。
【００５３】
また、表示部６０は、特定範囲Ｒの画像についてのコントラストの値を表示する。コントラストの値が最も高い場合のレンズ位置を選択することで、特定範囲Ｒの画像が合焦した状態の画像を得ることが可能になる。
【００５４】
傾斜アオリ操作を行うと、被写体上のアオリ撮影カメラ１０との距離の異なる複数の位置に合焦させることが可能である。本実施形態では、傾斜アオリ操作と、特定位置Ｐ及び特定範囲Ｒを複数箇所設定することにより、被写体上のアオリ撮影カメラ１０との距離の異なる複数の位置に合焦させる操作を簡単に行うことが可能になる。
【００５５】
本実施形態のピント状態確認手順を図５のフローチャートを用いて説明する。撮像装置１の電源をオン状態にし、ステップＳ１１で、撮像素子３１で撮像することにより得られた画像を表示部６０に表示する（プレビュー表示、図２参照）。プレビュー表示は、データ間引きを行って、撮像により得られた画像の全体を表示部６０に表示する。
【００５６】
ステップＳ１２で、使用者が入力部７０を操作することにより、被写体を含む構図の中でピント状態を確認したい特定位置Ｐを設定する。ステップＳ１３で、使用者が入力部７０を操作することにより、特定位置Ｐの大きさすなわち特定範囲Ｒを設定する。ステップＳ１２、Ｓ１３の操作を複数回行うことで、ピント状態を確認したい箇所を複数箇所設定することが可能である。
【００５７】
ステップＳ１４で、使用者が入力部７０を操作することにより、特定位置Ｐ及び特定範囲Ｒを撮影する際の、フォーカシングレンズＦＬの位置（レンズ位置）を設定する。具体的には、ＡＦモータ２５の駆動によるフォーカシングレンズＦＬの光軸ＬＸ方向の位置、第１平行アオリ駆動部４０１ｂのシフトアオリによるフロント部２０の第１方向ｘの位置、第２平行アオリ駆動部４０２ｂのライズ・フォールアオリによるフロント部２０の第２方向ｙの位置、第１傾斜アオリ駆動部４１１ｂの駆動によるティルトアオリ角度、第２傾斜アオリ駆動部４１２ｂの駆動によるスィングアオリの角度、第３方向駆動部４０３ｂの駆動によるフロント部２０の第３方向ｚの位置を設定する。レンズ位置は複数箇所設定する。レンズ位置を複数箇所設定することで、一度のピント状態確認手順で、使用者の想定したピント状態に近い状態の被写体画像を得ることが可能になる。
【００５８】
ステップＳ１５で、ステップＳ１４で設定された複数のレンズ位置にフォーカシングレンズＦＬを移動させ、ステップＳ１６で、その位置で被写体を含む構図を撮像する（仮撮影）。フォーカシングレンズＦＬを移動させた際、実際のフォーカシングレンズＦＬの位置が、第１、第２平行アオリ量検出部４０１ａ、４０２ａ、第１、第２傾斜アオリ量検出部４１１ａ、４１２ａ、及び第３方向移動量検出部４０３ａによって特定される。
【００５９】
ステップＳ１７で、仮撮影により撮像素子３１に蓄積された電荷読み出しを行う。撮像素子３１が部分読み出し可能なＣＭＯＳの場合は、特定位置Ｐの特定範囲Ｒに対応する撮像素子３１の領域についてのみ電荷読み出しを行う。これにより、全画素の電荷読み出しを行う場合に比べて処理速度を早くすることができる。
【００６０】
ステップＳ１８で、複数箇所設定したレンズ位置総てにおいて仮撮影が行われたか否かが判断される。総ての仮撮影が行われていない場合は、ステップＳ１５に戻される。総ての仮撮影が行われた場合は、ステップＳ１９で、複数の仮撮影により得られた特定位置Ｐの特定範囲Ｒの画像を表示部６０に表示する。表示部は、画像とともに、フォーカシングレンズＦＬの移動量ｍｆなどレンズ位置に関する情報や、特定範囲Ｒの画像のコントラストの値とをレンズの位置情報ｐｉとして表示する（図３、図４参照）。なお、各レンズ位置での仮撮影画像の表示切り替えは、使用者が入力部７０を操作して任意に行えるように構成されている。
【００６１】
ステップＳ２０で、使用者によって、フォーカシングレンズＦＬがどのレンズ位置にあった時の特定範囲の画像のピント状態が適当であったか選択する。ステップＳ２１で、選択したレンズ位置に、フォーカシングレンズＦＬを移動させ、撮像素子３１の全画素を使って撮像する（本撮影）。
【００６２】
なお、本実施形態では、フロント部２０の移動はいずれもアクチュエータを使って自動的に移動させる形態を説明したが、使用者の手動によって移動させてもよい。フロント部２０や、フォーカシングレンズＦＬを移動させる形態を説明したが、撮像素子３１を含むリヤ部３０を移動させる形態であってもよい。
【００６３】
本実施形態では、平行アオリ、及び傾斜アオリが可能なアオリ撮影カメラを使った形態を説明したが、アオリ撮影機能を有しないカメラでもよい。この場合、レンズ位置は、合焦動作のための第３方向ｚにのみ移動可能である。
【図面の簡単な説明】
【００６４】
【図１】本実施形態における撮像装置の各部の構成図である。
【図２】プレビュー表示例を示す図である。
【図３】第１特定範囲に対応する領域の画像の表示例を示す図である。
【図４】第２特定範囲に対応する領域の画像の表示例を示す図である。
【図５】ピント状態確認を示すフローチャートである。
【符号の説明】
【００６５】
１  撮像装置
１０  アオリ撮影カメラ
１１  交換レンズ
１１ａ  ＲＯＭ
１１ｂ  エンコーダ
１１ｃ  第１通信用接点ピン
２０  フロント部
２１  レンズマウント部
２１ｃ  第２通信用接点ピン
２５  ＡＦモータ
２６  レンズ移動量情報読取部
３０  リヤ部
３１  撮像素子
３２  撮像信号処理回路
４０  フロント部移動手段
４１  レンズ情報読取部
５０  制御部
６０  表示部
７０  入力部
４０１ａ、４０２ａ  第１、第２平行アオリ量検出部
４０１ｂ、４０２ｂ  第１、第２平行アオリ駆動部
４０３ａ  第３方向移動量検出部
４０３ｂ  第３方向駆動部
４１１ａ、４１２ａ  第１、第２傾斜アオリ量検出部
４１１ｂ、４１２ｂ  第１、第２傾斜アオリ駆動部
ＬＸ  光軸
Ｐ１、Ｐ２  第１、第２特定位置
Ｒ１、Ｒ２  第１、第２特定範囲
ｈ１、ｈ２  第１、第２水平方向長さ
ｖ１、ｖ２  第１、第２鉛直方向長さ
【図１】
2006148393.tif 000003
【図２】
2006148393.tif 000004
【図３】
2006148393.tif 000005
【図４】
2006148393.tif 000006
【図５】
2006148393.tif 000007